(57)【特許請求の範囲】
【請求項１】
テレビジョン信号受信時にはテレビジョンの中間周波信号を出力すると共に、ＦＭ放送信号受信時にはテレビジョンの中間周波帯における音声中間周波数に周波数変換されたＦＭ放送信号を出力する混合器と、前記混合器に接続され、前記テレビジョン信号受信時には前記中間周波帯における映像中間周波数と音声中間周波数との間に同調し、前記ＦＭ放送信号受信時には前記中間周波帯における音声中間周波数に同調する中間周波同調回路と、結合容量手段を介して前記中間周波同調回路に結合された中間周波増幅器とを備え、前記結合容量手段の容量値を大または小の二通りに切り替えるように構成し、前記テレビジョン信号受信時には前記結合容量手段の容量値を大きくし、前記ＦＭ放送信号受信時には小さくしたことを特徴とするテレビジョンチューナの中間周波回路。
【請求項２】
前記中間周波同調回路を並列同調回路で構成すると共に前記並列同調回路には前記同調周波数を変える第一のバラクタダイオードを設け、前記結合容量手段は互いに直列接続されたコンデンサと第二のバラクタダイオードとで構成し、前記テレビジョン信号受信時には前記第一のバラクタダイオードに第一の逆バイアス電圧を印加すると共に、前記第二のバラクタダイオードを導通状態とし、前記ＦＭ放送信号受信時には前記第一のバラクタダイオードに前記第一の逆バイアス電圧よりも低い第二の逆バイアス電圧を印加すると共に、前記第二のバラクタダイオードに第三の逆バイアス電圧を印加したことを特徴とする請求項１記載のテレビジョンチューナの中間周波回路。
【請求項３】
前記第一のバラクタダイオードのアノードと前記第二のバラクタダイオードのカソードとを直流的に接続し、前記第一のバラクタダイオードのカソードに第一の電圧を印加すると共に、前記第二のバラクタダイオードのアノードに前記第一の電圧よりも低い第二の電圧を印加し、前記テレビジョン信号受信時には前記第一のバラクタダイオードのアノードと前記第二のバラクタダイオードのカソードとの直流的な接続点の電圧を前記第二の電圧以下とし、前記ＦＭ放送信号受信時には前記直流的な接続点の電圧を前記第一の電圧と前記第二の電圧との間の電圧としたことを特徴とする請求項２記載のテレビジョンチューナの中間周波回路。
【請求項４】
互いに直列に接続された二つの抵抗の接続点から分圧電圧を出力する分圧回路を設け、前記二つの抵抗の接続点を前記直流的な接続点に接続し、ＦＭ放送受信時には前記分圧回路に前記第二の電圧よりも大きな電圧を印加すると共に、前記分圧電圧を前記第一の電圧と前記第二の電圧との間の電圧となるように設定したことを特徴とする請求項３記載のテレビジョンチューナの中間周波回路。
【請求項５】
ＦＭ放送受信時にオンする切替手段を設け、ＦＭ放送受信時に前記第二の電圧を前記切替手段を介して前記分圧回路に印加したことを特徴とする請求項４記載のテレビジョンチューナの中間周波回路。
【請求項６】
前記混合器は二つの出力端を有する平衡型混合器で構成され、前記中間周波増幅器は二つの入力端を有する平衡型中間周波増幅器で構成され、前記結合容量手段を二つ設け、前記中間周波同調回路の両端を前記平衡型混合器の二つの出力端間に接続し、前記平衡型中間周波増幅器の一方の入力端を前記結合容量手段の一方を介して前記中間周波同調回路の一端に接続し、前記平衡型中間周波増幅器の他方の入力端を前記結合容量手段の他方を介して前記中間周波同調回路の他端に接続したことを特徴とする請求項２乃至５のいずれかに記載のテレビジョンチューナの中間周波回路。
【請求項７】
前記平衡型中間周波増幅器は供給される電源電圧によって前記二つの入力端に直流的なバイアス電圧を発生し、前記第一の電圧を前記電源電圧として前記平衡型中間周波増幅器に供給し、前記結合容量手段における第二のバラクタダイオードの各アノードを前記平衡型中間周波増幅器の二つの入力端にそれぞれ接続したことを特徴とする請求項６記載のテレビジョンチューナの中間周波回路。
【発明の詳細な説明】
【０００１】
【発明の属する技術分野】
本発明はテレビジョンチューナの中間周波回路に関する。
【０００２】
【従来の技術】
従来のテレビジョンチューナの中間周波回路（以下単に中間周波回路という）は図６に示すように、混合器３１と中間周波同調回路３２と中間周波増幅器３３とを有している。混合器３１にはテレビジョン信号又はＦＭ放送信号（ＲＦで示す）が入力されると共に、局部発振信号（Ｌｏで示す）が入力される。
混合器３１は、テレビジョン信号受信時にはテレビジョンの中間周波信号を出力し、ＦＭ放送信号受信時にはテレビジョンの中間周波帯における音声中間周波数に周波数変換されたＦＭ放送信号を出力する。
【０００３】
中間周波同調回路３２はバラクタダイオード３２ａと、バラクタダイオード３２ａのカソードに一端が接続され他端が接地されたコンデンサ３２ｂと、互いに直列に接続された二つのインダクタンス素子３２ｃ、３２ｄとを有し、バラクタダイオード３２ａとコンデンサ３２ｂとの直列接続回路に対してインダクタンス素子３２ｃ、３２ｄの直列接続回路が並列に接続され、並列同調回路を構成する。
インダクタンス素子３２ｃと３２ｄとの接続点には電圧Ｖｂが印加され、この電圧はインダクタンス素子３２ｃを介してバラクタダイオード３２ａのカソードに供給される。
【０００４】
さらに、バラクタダイオード３２ａのアノードは、直列接続された二つの抵抗３４、３５を介して接地される。抵抗３４と３５との接続点には切替手段３６によって電圧Ｖｂが印加されるか又は０ボルトの電圧が印加される。
そして、バラクタダイオード３２ａのカソードとインダクタンス素子３２ｃとの接続点が混合器３１の出力端に接続されると共に、結合コンデンサ３７を介して中間周波増幅器３３の入力端に接続される。
【０００５】
以上の構成において、テレビジョン信号受信時には切替手段３６によって抵抗３４と３５との接続点に０ボルトの電圧が印加される。すると、バラクタダイオード３２ａのアノードとカソードとの間には逆バイアス電圧が印加される。このときのバラクタダイオード３２ａの容量値とコンデンサ３２ｂの容量値、及びインダクタンス素子３２ｃ、３２ｄのインダクタンス値によって、中間周波同調回路３２の同調周波数が決定されるが、その周波数は中間周波帯の映像中間周波数Ｐと音声中間周波数Ｓとの間（好ましくは映像中間周波数Ｐと色副搬送波周波数Ｃとの間）に設定され、同調特性は図７のＡに示すようになる。
【０００６】
一方、ＦＭ放送信号受信時には切替手段３６によって抵抗３４と３５との接続点に電圧Ｖｂが印加される。すると、バラクタダイオード３２ａのアノードとカソードとの間はほぼ同電位となり、バラクタダイオード３２ａの容量値は極めて大きくなり、同調周波数は低くなる。このときの同調周波数は中間周波帯の音声中間周波数Ｓとなるように設定され、同調特性は図７のＢに示すようになる。
【０００７】
【発明が解決しようとする課題】
しかしながら、ＦＭ放送信号受信では中間周波同調回路３２の同調容量（バラクタダイオード３２ａとコンデンサ３２ｂとの直列容量）値が大きくなるので、混合器３１の出力インピーダンスと中間周波増幅器３３の入力インピーダンスとを含めた全体の同調回路の負荷Ｑがテレビジョン信号受信時に比較して大きくなり、損失も増加する。そのため、テレビジョン信号受信における同調特性のピーク点よりもＦＭ放送信号受信時における同調特性のピーク点が３ｄＢ程度低くなり、テレビジョンチューナ全体の利得不足を来す。この結果、ＦＭ放送信号受信時の音声感度が低下するという問題が発生する。
【０００８】
また、中間周波増幅器３３の入力インピーダンスが低いので、全体のＱ自体を高くすることが出来ず、同調特性が緩やかとなり、放送周波数が隣接するＦＭ放送信号との混信を起こすという問題があった。
【０００９】
そこで、本発明のテレビジョンチューナの中間周波回路は、中間周波増幅器の入力インピーダンスが低い場合であっても、ＦＭ放送受信時における同調特性のＱを高くすると共に、損失を少なくすることを目的とする。
【００１０】
【課題を解決するための手段】
上記の課題を解決するため、本発明では、テレビジョン信号受信時にはテレビジョンの中間周波信号を出力すると共に、ＦＭ放送信号受信時にはテレビジョンの中間周波帯における音声中間周波数に周波数変換されたＦＭ放送信号を出力する混合器と、前記混合器に接続され、前記テレビジョン信号受信時には前記中間周波帯における映像中間周波数と音声中間周波数との間に同調し、前記ＦＭ放送信号受信時には前記中間周波帯における音声中間周波数に同調する中間周波同調回路と、結合容量手段を介して前記中間周波同調回路に結合された中間周波増幅器とを備え、前記結合容量手段の容量値を大または小の二通りに切り替えるように構成し、前記テレビジョン信号受信時には前記結合容量手段の容量値を大きくし、前記ＦＭ放送信号受信時には小さくした。
【００１１】
また、前記中間周波同調回路を並列同調回路で構成すると共に前記並列同調回路には前記同調周波数を変える第一のバラクタダイオードを設け、前記結合容量手段は互いに直列接続されたコンデンサと第二のバラクタダイオードとで構成し、前記テレビジョン信号受信時には前記第一のバラクタダイオードに第一の逆バイアス電圧を印加すると共に、前記第二のバラクタダイオードを導通状態とし、前記ＦＭ放送信号受信時には前記第一のバラクタダイオードに前記第一の逆バイアス電圧よりも低い第二の逆バイアス電圧を印加すると共に、前記第二のバラクタダイオードに第三の逆バイアス電圧を印加した。
【００１２】
また、前記第一のバラクタダイオードのアノードと前記第二のバラクタダイオードのカソードとを直流的に接続し、前記第一のバラクタダイオードのカソードに第一の電圧を印加すると共に、前記第二のバラクタダイオードのアノードに前記第一の電圧よりも低い第二の電圧を印加し、前記テレビジョン信号受信時には前記第一のバラクタダイオードのアノードと前記第二のバラクタダイオードのカソードとの直流的な接続点の電圧を前記第二の電圧以下とし、前記ＦＭ放送信号受信時には前記直流的な接続点の電圧を前記第一の電圧と前記第二の電圧との間の電圧とした。
【００１３】
なた、互いに直列に接続された二つの抵抗の接続点から分圧電圧を出力する分圧回路を設け、前記二つの抵抗の接続点を前記直流的な接続点に接続し、ＦＭ放送受信時には前記分圧回路に前記第二の電圧よりも大きな電圧を印加すると共に、前記分圧電圧を前記第一の電圧と前記第二の電圧との間の電圧となるように設定した。
【００１４】
また、ＦＭ放送受信時にオンする切替手段を設け、ＦＭ放送受信時に前記第二の電圧を前記切替手段を介して前記分圧回路に印加した。
【００１５】
また、前記混合器は二つの出力端を有する平衡型混合器で構成され、前記中間周波増幅器は二つの入力端を有する平衡型中間周波増幅器で構成され、前記結合容量手段を二つ設け、前記中間周波同調回路の両端を前記平衡型混合器の二つの出力端間に接続し、前記平衡型中間周波増幅器の一方の入力端を前記結合容量手段の一方を介して前記中間周波同調回路の一端に接続し、前記平衡型中間周波増幅器の他方の入力端を前記結合容量手段の他方を介して前記中間周波同調回路の他端に接続した。
【００１６】
また、前記平衡型中間周波増幅器は供給される電源電圧によって前記二つの入力端に直流的なバイアス電圧を発生し、前記第一の電圧を前記電源電圧として前記平衡型中間周波増幅器に供給し、前記結合容量手段における第二のバラクタダイオードの各アノードを前記平衡型中間周波増幅器の二つの入力端にそれぞれ接続した。
【００１７】
【発明の実施の形態】
本発明のテレビジョンチューナの中間周波回路を図１乃至図５を用いて説明する。図１は本発明のテレビジョンチューナの中間周波回路の基本構成を示す回路図、図２はその等価回路図、図３は同調特性図、図４は本発明のテレビジョンチューナの中間周波回路を平衡型で構成した場合の回路図、図５はその等価回路図である。
【００１８】
図１において、混合器１にはテレビジョン信号又はＦＭ放送信号（ＲＦで示す）が入力されると共に、局部発振信号（Ｌｏで示す）が入力される。そして、混合器１は、テレビジョン信号受信時にはテレビジョンの中間周波信号を出力し、ＦＭ放送信号受信時にはテレビジョンの中間周波帯における音声中間周波数に周波数変換されたＦＭ放送信号を出力する。
【００１９】
中間周波同調回路２は第一のバラクタダイオード２ａと、第一のバラクタダイオード２ａのカソードに一端が接続され他端が接地されたコンデンサ２ｂと、互いに直列に接続された二つのインダクタンス素子２ｃ、２ｄとを有し、第一のバラクタダイオード２ａとコンデンサ２ｂとの直列接続回路に対してインダクタンス素子２ｃ、２ｄの直列接続回路が並列に接続され、並列同調回路を構成する。
インダクタンス素子２ｃと２ｄとの接続点には第一の電圧Ｖｂ１が印加され、この電圧はインダクタンス素子２ｃを介して第一のバラクタダイオード２ａのカソードに供給される。
【００２０】
そして、第一のバラクタダイオード２ａのカソードとインダクタンス素子２ｃとの接続点が混合器１の出力端に接続されると共に、結合容量手段３に接続される。結合容量手段３は直流カットコンデンサ４を介して中間周波増幅器５の入力端に接続される。
結合容量手段３は互いに直列に接続された結合コンデンサ３ａと第二のバラクタダイオード３ｂとから構成され、第二のバラクタダイオード３ｂのアノードが直流カットコンデンサ４に接続される。直流カットコンデンサ４のインピーダンスは無視し得る程度になっている。
【００２１】
そして、第一のバラクタダイオード２ａのアノードと第二のバラクタダイオード３ｂとが高周波阻止用の二つの直列接続抵抗６，７を介して直流的に接続される。又、第二のバラクタダイオード３ｂのアノードは直列接続された抵抗８、９の接続点に接続される。この抵抗８、９は第一の電圧を分圧するものであり、一方の抵抗８に第一の電圧が印加され、他方の抵抗９は接地される。そして、抵抗８と９との接続点に現れる分圧電圧が第二の電圧Ｖｂ２となる。
【００２２】
直列接続された二つの抵抗６、７の接続点は分圧回路１０を構成する二つの抵抗１０ａ、１０ｂの接続点に接続される。抵抗１０ｂの一点は接地され、抵抗１０ａの一端は切替手段手段１１に接続される。切替手段１１は少なくとも二つの端子１１ａ、１１ｂを有し、この二端子１１ａ、１１ｂ間がオン（導通）又はオフ（非導通）に切り替えられ、抵抗１０ｂの一端は端子１０ａに接続され、端子１１ｂには第一の電圧が印加される。図示ではもう一つの端子１１ｃを有し、端子１１ａ、１１ｂ間がオフのときには端子１１ａと端子１１ｃとがオンとなるように動作する。端子１１ｃは抵抗１２を介して接地される。端子１１ｃと抵抗１２とは必ずしも必要ではない。
そして、端子１１ａ、１１ｂ間がオンとなったときの分圧回路１０における分圧電圧（即ち、抵抗１０ａと１０ｂとの接続点の電圧）は抵抗８と９との接続点における第二の電圧よりも高くなるように各抵抗８、９、１０ａ、１０ｂの値が設定されている。
【００２３】
以上の構成において、混合器１の出力インピーダンスをＺｏ、中間周波増幅器５の入力インピーダンスをＺｉとすれば、全体の等価回路は図２に示すようになる。そして、テレビジョン信号受信時には切替手段１１の端子１１ａと１１ｂとの間をオフする。すると、第二のバラクタダイオード３ｂは順方向に電流が流れてオンとなり、第一のバラクタダイオード２ａには第一の逆バイアス電圧が印加される。その結果、結合容量手段３の容量値は結合コンデンサ３ａの容量値のみとなって容量値が大きくなると共に、中間周波同調回路２の同調周波数は、例えば、テレビジョンの中間周波帯における映像中間周波数と音声中間周波数との間（好ましくは映像中間周波数Ｐと色副搬送波周波数Ｃとの間）となるように設定される。この状態の同調特性は図３のＡに示す。同調特性は、例えば中間周波増幅器５の入力端で観測される。
【００２４】
一方、ＦＭ放送信号受信時には切替手段１１の端子１１ａと１１ｂとの間をオンする。すると、分圧回路１０の分圧電圧は第一の電圧よりも低く、第二の電圧よりも高くなる。そして、第一のバラクタダイオード２ａには第二の逆バイアス電圧が印加され、第二のバラクタダイオード３ｂには第三の逆バイアス電圧が印加される。第二の逆バイアス電圧は第一の逆バイアス電圧よりも低い。
【００２５】
その結果、第一のバラクタダイオードの容量値が大きくなって中間周波同調回路２の同調周波数は低くなるが、その周波数はテレビジョンの中間周波数帯における音声中間周波数に一致するようになっている。
一方、第二のバラクタダイオード３ｂにも逆バイアス電圧が印加されることで、結合容量手段３全体の容量値は結合コンデンサ３ａ単独の容量値よりも小さくなる。
【００２６】
結合容量手段３の容量値が小さくなることは中間周波同調回路２に接続される負荷としての中間周波増幅器５の入力インピーダンスが見かけ上大きくなったことになる。そのため、混合器１の出力インピーダンスと中間周波増幅器５の入力インピーダンスとを含めた全体の負荷Ｑが高くなると共に損失も少なくなり、その同調特性は図３のＢに示すように急峻になると共に、ピーク点が高くなる。実際にはテレビジョン信号受信時における同調特性のピーク点よりも４ｄＢ程度高くなる。
【００２７】
本発明のテレビジョンチューナの中間周波回路は、図４に示すように平衡型の回路で構成することも出来る。図４において、混合器２１と中間周波増幅器２２はそれぞれが平衡型回路で構成されている。中間周波増幅器２２には第一の電圧が電源電圧として印加される。そして、中間周波同調回路２の両端は混合器２１の二つの出力端の間に接続される。また、中間周波同調回路２の両端はそれぞれ結合容量手段３、３によって中間周波増幅器２２の二つの入力端に接続されるが、第二のバラクタダイオード３ｂ、３ｂの各アノードが直接中間周波増幅器２２の二つの入力端に接続される。そして第二のバラクタダイオード３ｂ、３ｂのカソードがそれぞれ高周波阻止用の抵抗６、６によって抵抗７に接続される。以上の構成の等価回路図は図５に示される。
【００２８】
なお、中間周波増幅器２２は、印加される電源電圧によって、入力端に増幅素子用のバイアス電圧が与えられるものであるので、このバイアス電圧が第二の電圧として第二のバラクタダイオード３ｂ、３ｂのアノードに印加される。
以上説明した平衡型のテレビジョンチューナの中間周波回路の動作は図１の構成の動作と同じであるのでその説明は省略する。
【００２９】
【発明の効果】
以上のように、混合器と、混合器に接続されてテレビジョン信号受信時には映像中間周波数と音声中間周波数との間に同調しＦＭ放送信号受信時には音声中間周波数に同調する中間周波同調回路と、結合容量手段を介して中間周波同調回路に結合された中間周波増幅器とを備え、結合容量手段の容量値を大または小の二通りに切り替えるように構成し、テレビジョン信号受信時には結合容量手段の容量値を大きくし、ＦＭ放送信号受信時には小さくしたので、中間周波同調回路に接続される負荷としての中間周波増幅器の入力インピーダンスが見かけ上大きくなり、そのため、混合器の出力インピーダンスと中間周波増幅器の入力インピーダンスとを含めた全体の負荷Ｑが高くなると共に損失も少なくなる。そして、同調特性は急峻になると共に、ピーク点が高くなる。この結果、ＦＭ放送信号受信時には隣接するＦＭ放送信号との混信を起こすこともなく、又受信感度も向上する。
【００３０】
また、中間周波同調回路を並列同調回路で構成し、並列同調回路に第一のバラクタダイオードを設け、結合容量手段は互いに直列接続されたコンデンサと第二のバラクタダイオードとで構成し、テレビジョン信号受信時には第一のバラクタダイオードに第一の逆バイアス電圧を印加すると共に、第二のバラクタダイオードを導通状態とし、ＦＭ放送信号受信時には第一のバラクタダイオードに第一の逆バイアス電圧よりも低い第二の逆バイアス電圧を印加すると共に、第二のバラクタダイオードに第三の逆バイアス電圧を印加したので、受信信号が変わる場合の同調周波数と結合容量手段の容量値と切替は簡単になる。
【００３１】
また、第一のバラクタダイオードのアノードと第二のバラクタダイオードのカソードとを直流的に接続し、第一のバラクタダイオードのカソードに第一の電圧を印加すると共に、第二のバラクタダイオードのアノードに第一の電圧よりも低い第二の電圧を印加し、テレビジョン信号受信時には第一のバラクタダイオードのアノードと第二のバラクタダイオードのカソードとの直流的な接続点の電圧を第二の電圧以下とし、ＦＭ放送信号受信時には直流的な接続点の電圧を第一の電圧と第二の電圧との間の電圧としたので、第一のバラクタダイオードと第二のバラクタダイオードとに印加する逆バイアス電圧に切替が連動できる。よって構成が簡単である。
【００３２】
なた、互いに直列に接続された二つの抵抗の接続点から分圧電圧を出力する分圧回路を設け、二つの抵抗の接続点を第一のバラクタダイオードのアノードと第二のバラクタダイオードのカソードと間の直流的な接続点に接続し、ＦＭ放送受信時には分圧回路に第二の電圧よりも大きな電圧を印加すると共に、分圧電圧を第一の電圧と第二の電圧との間の電圧となるように設定したので、分圧回路の抵抗の設定によって上記接続点の電圧が切り替えられる。
【００３３】
また、ＦＭ放送受信時にオンする切替手段を設け、ＦＭ放送受信時に第二の電圧を切替手段を介して分圧回路に印加したので、分圧回路に印加する電圧を別に設けなくてもよい。
【００３４】
また、平衡型混合器と平衡型中間周波増幅器を用い、中間周波同調回路の両端を平衡型混合器の二つの出力端間に接続し、平衡型中間周波増幅器の一方の入力端を結合容量手段の一方を介して中間周波同調回路の一端に接続し、平衡型中間周波増幅器の他方の入力端を結合容量手段の他方を介して中間周波同調回路の他端に接続したので、平衡型の中間周波回路を簡単に構成できる。
【００３５】
また、平衡型中間周波増幅器は供給される電源電圧によって二つの入力端に直流的なバイアス電圧を発生し、第一の電圧を前記電源電圧として平衡型中間周波増幅器に供給し、結合容量手段における第二のバラクタダイオードの各アノードを平衡型中間周波増幅器の二つの入力端にそれぞれ接続したので、結合容量手段と中間周波増幅器との間に設けていた直流カットコンデンサを削除できる。
【図面の簡単な説明】
【図１】本発明のテレビジョンチューナの中間周波回路の基本構成を示す回路図である。
【図２】図１に示すテレビジョンチューナの中間周波回路の等価回路図である。
【図３】本発明のテレビジョンチューナの中間周波回路における同調特性図である。
【図４】本発明のテレビジョンチューナの中間周波回路を平衡型で構成した場合の回路図である。
【図５】図４に示すテレビジョンチューナの中間周波回路の等価回路図である。
【図６】従来のテレビジョンチューナの中間周波回路の構成を示す回路図である。
【図７】従来のテレビジョンチューナの中間周波回路における同調特性図である。
【符号の説明】
１、２１  混合器
２  中間周波同調回路
２ａ  第一のバラクタダイオード
２ｂ  コンデンサ
２ｃ、２ｄ  インダクタンス素子
３  結合容量手段
３ａ  結合コンデンサ
３ｂ  第二のバラクタダイオード
４  直流カットコンデンサ
５、２２  中間周波増幅器
６、７  高周波阻止用の抵抗
８、９  抵抗
１０  分圧回路
１０ａ、１０ｂ  抵抗
１１  切替手段
１１ａ、１１ｂ、１１ｃ  端子
１２  抵抗
【図１】
0003713412.tif 000002
【図２】
0003713412.tif 000003
【図３】
0003713412.tif 000004
【図４】
0003713412.tif 000005
【図５】
0003713412.tif 000006
【図６】
0003713412.tif 000007
【図７】
0003713412.tif 000008